(57)【要約】【課題】  不使用時における意匠性をより高めることができる間仕切り装置を提供する。【解決手段】  互いに高さが異なる少なくとも２つの平面による段差に対して取り付け可能な間仕切り装置１であって、略板状に形成された複数のパネル１１と、内部に複数のパネル１１を収納可能な収納空間が画成され、収納空間から複数のパネルのうち少なくとも１つのパネルを収納空間から上方へ引き出し可能に形成された収納部１０と、収納空間から引き出されたパネルを上下方向に立設可能に案内する案内部１５とを備える。【選択図】図３
2019076428.tif 000002
【特許請求の範囲】
【請求項１】
互いに高さが異なる少なくとも２つの平面による段差に対して取り付け可能な間仕切り装置であって、
略板状に形成された複数のパネルと、
内部に前記複数のパネルを収納可能な収納空間が画成され、該収納空間から前記複数のパネルのうち少なくとも１つのパネルを前記収納空間から上方へ引き出し可能に形成された収納部と、
前記収納空間から引き出されたパネルを上下方向に立設可能に案内する案内部と
を備える間仕切り装置。
【請求項２】
前記案内部は、前記複数のパネルの板面に直交する前後方向の一方側に設けられ、
前記収納部は、前記収納空間に収納されたパネルを前記一方側へ付勢して押し出す押出部を有することを特徴とする請求項１に記載の間仕切り装置。
【請求項３】
前記複数のパネルにおける前記前後方向の他方側の板面において、下方が前記前後方向の一方側に傾斜する傾斜下端から所定高さまで傾斜部が形成されることを特徴とする請求項２に記載の間仕切り装置。
【請求項４】
前記案内部は、前記上下方向及び前後方向に直交する幅方向において対向する一対のレールであることを特徴とする請求項２または請求項３に記載の間仕切り装置。
【請求項５】
前記収納部における前記前後方向の一方側に設けられ、前記押出部により押し出されるパネルの前記一方側への移動を規制するカバー部を更に備えることを特徴とする請求項２〜請求項４のいずれか一項に記載の間仕切り装置。
【請求項６】
前記カバー部は、押下操作されることにより、前記押出部により押し出されるパネルを前記前後方向の他方側に押し戻し可能な操作部を有することを特徴とする請求項５に記載の間仕切り装置。
【請求項７】
前記複数のパネルのそれぞれの端部には、前記案内部に立設される際に上下方向に互いに隣接するパネルを連結する連結部が設けられていることを特徴とする請求項１〜請求項６のいずれか一項に記載の間仕切り装置。
【請求項８】
前記複数のパネルのそれぞれには、該パネルを引き出し操作するための手掛け部が設けられていることを特徴とする請求項１〜請求項７のいずれか一項に記載の間仕切り装置。
【請求項９】
前記間仕切り装置は、階段における最上段または最下段の段差に取り付けられることを特徴とする請求項１〜請求項８のいずれか一項に記載の間仕切り装置。
【発明の詳細な説明】
【技術分野】
【０００１】
本発明は、段差への侵入を防ぐための間仕切り装置に関する。
【背景技術】
【０００２】
従来、幼児が段差から転落するような事故の防止や、ペットが階上の部屋でいたずらすることを防止するため、幼児やペットの階段への侵入を防ぐ安全ゲートが使用されていた。このような安全ゲートとしては、水平方向に手動で拡開可能な２つのゲート片により構成されるゲートアッセンブリと、一方の壁に固定されるヒンジブラケット内に取外し可能に受容され、一方向にのみ遥動可能にゲートアッセンブリを支持するヒンジとを備え、ゲート片の自由端が他方の壁上に設けたラッチブラケットと係合する手動ラッチを備え、ゲートアッセンブリが拡開された状態で壁間に固定されるように構成された安全ゲート、が知られている（特許文献１参照）。
【０００３】
この安全ゲートによれば、ゲートアッセンブリにおける２つのゲート片を水平方向に移動させて拡開させることによって通路を閉塞し、これによって、階段の入口や段差がある箇所を子供や幼児が通り抜けることを防ぐことができる。
【先行技術文献】
【特許文献】
【０００４】
【特許文献１】特開２０００−１３００４８号公報
【発明の概要】
【発明が解決しようとする課題】
【０００５】
上述した安全ゲートによれば、通路を閉塞する必要がない場合には、２つのゲート片を互いに近接するように水平方向に移動させ、ゲートアッセンブリを畳み込むことによって通路を開放することが可能である。しかしながら、通路が開放された状態、即ち安全ゲートを使用していない状態であっても、安全ゲートは通路において露出しており、室内の美観を損ねてしまう。即ち、従来の安全ゲートには、不使用時における意匠性が悪いという問題がある。
【０００６】
そこで、本発明は、このような問題に鑑みてなされたもので、その目的とするところは、不使用時における意匠性をより高めることができる間仕切り装置を提供することにある。
【課題を解決するための手段】
【０００７】
上記課題を解決するために、本実施形態に係る間仕切り装置は、互いに高さが異なる少なくとも２つの平面による段差に対して取り付け可能な間仕切り装置であって、略板状に形成された複数のパネルと、内部に前記複数のパネルを収納可能な収納空間が画成され、該収納空間から前記複数のパネルのうち少なくとも１つのパネルを前記収納空間から上方へ引き出し可能に形成された収納部と、前記収納空間から引き出されたパネルを上下方向に立設可能に案内する案内部とを備える。
【発明の効果】
【０００８】
本発明によれば、不使用時における意匠性をより高めることができる。
【図面の簡単な説明】
【０００９】
【図１】第１の実施形態に係る２つの間仕切り装置が設置された階段の全体構成を示す概略側面図である。
【図２】開放状態における最下段に設置された間仕切り装置の構成を示す斜視図である。
【図３】閉鎖状態における最下段に設置された間仕切り装置の構成を示す斜視図である。
【図４】全てのパネルが収容された状態における間仕切り装置の構成を示す斜視図である。
【図５】第１のパネルが途中まで引き出された状態における間仕切り装置の構成を示す斜視図である。
【図６】第１のパネルが完全に引き出された状態における間仕切り装置の構成を示す斜視図である。
【図７】第２のパネルが途中まで引き出された状態における間仕切り装置の構成を示す斜視図である。
【図８】第２のパネルが完全に引き出された状態における間仕切り装置の構成を示す斜視図である。
【図９】複数のパネルが収納された収納部内の構成を示す側断面図である。
【図１０】パネルの構成を示す側面図である。
【図１１】全てのパネルが収容された状態における間仕切り装置の構成を示す側断面図である。
【図１２】第１のパネルが途中まで引き出された状態における間仕切り装置の構成を示す側断面図である。
【図１３】第１のパネルが完全に引き出された状態における間仕切り装置の構成を示す側断面図である。
【図１４】第２のパネルが途中まで引き出された状態における間仕切り装置の構成を示す側断面図である。
【図１５】第２のパネルが完全に引き出された状態における間仕切り装置の構成を示す側断面図である。
【図１６】第２のパネルが途中まで収容された状態における間仕切り装置の構成を示す側断面図である。
【図１７】第１のパネルが途中まで収容された状態における間仕切り装置の構成を示す側断面図である。
【図１８】第２の実施形態に係る、全てのパネルが収容された状態における間仕切り装置の構成を示す側断面図である。
【図１９】第２の実施形態に係る、第２のパネルが完全に引き出された状態における間仕切り装置の構成を示す側断面図である。
【図２０】第３の実施形態に係る、第２のパネルが完全に引き出された状態における間仕切り装置の構成を示す側断面図である。
【図２１】第３の実施形態に係る、操作部が押下された状態における間仕切り装置の構成を示す側断面図である。
【図２２】第４の実施形態に係る、全てのパネルが収容された状態における間仕切り装置の構成を示す側断面図である。
【図２３】第４の実施形態に係る、第２のパネルが完全に引き出された状態における間仕切り装置の構成を示す側断面図である。
【図２４】第４の実施形態に係る第１のパネルの構成を示す側面図である。
【図２５】第４の実施形態に係る第２のパネルの構成を示す側面図である。
【図２６】ロック機構を備えた連結部の構成を示す側面図である。
【図２７】第５の実施形態に係る間仕切り装置の構成を示す正面図である。
【図２８】第５の実施形態に係る間仕切り装置の構成を示す側断面図である。
【図２９】第６の実施形態に係る、開放状態における間仕切り装置の構成を示す斜視図である。
【図３０】第６の実施形態に係る、閉鎖状態における間仕切り装置の構成を示す斜視図である。
【発明を実施するための形態】
【００１０】
以下に添付図面を参照しながら、本発明の複数の実施形態について詳細に説明する。
【００１１】
＜第１の実施形態＞
（間仕切り装置の概略）
第１の実施形態に係る間仕切り装置の構成について概略的に説明する。図１は、第１の実施形態に係る２つの間仕切り装置が設置された階段の全体構成を示す概略側面図である。図２は、開放状態における最下段に設置された間仕切り装置の構成を示す斜視図である。図３は、閉鎖状態における最下段に設置された間仕切り装置の構成を示す斜視図である。
【００１２】
図１に示すように、本実施形態に係る間仕切り装置１は、階段９への幼児やペットの侵入を防止するため、階段９の最下段及び最上段に備え付けられる。なお、図１においては、最下段に備え付けられたものを間仕切り装置１ａとし、最上段に備え付けられたものを間仕切り装置１ｂとして示している。これら間仕切り装置１ａ及び１ｂが備え付けられる階段９は、下階の床ＦＬと上階の床ＦＵとを連絡し、これらの床の間に高さ及び水平方向位置を段階的にずらして配列された複数の踏板を備えるものであり、図１においては、複数の踏板のうち、最下段のものを踏板９１、最上段のものを踏板９９として示している。ここで、階段９は、両脇から壁部に挟まれるように建物内に設けられているものとする。
【００１３】
以降の説明において、階段９を挟む２つの壁部が対向する方向を幅方向、この幅方向及び上下方向に直交する方向を前後方向とする。また、この前後方向において、段差を生じさせる構成要素のうち、上方にある要素、例えば、踏板９１や床ＦＵがある側を間仕切り装置１の後方とし、一方、下方にある要素、例えば、床ＦＬや踏板９９がある側を間仕切り装置１の前方とする。
【００１４】
間仕切り装置１ａは、踏板９１と床ＦＬとの間に備え付けられ、間仕切り装置１ｂは、床ＦＵと踏板９９との間に備え付けられており、これら間仕切り装置１ａ及び１ｂの構成は互いに同様であるため、階段９に備え付けられた間仕切り装置１について、間仕切り装置１ａを例にとり説明する。
【００１５】
図２に示すように、間仕切り装置１ａは、内部に空間が画成された収納部１０、幅方向に対向して設けられた２つの案内部１５ａ，１５ｂとを備える。ここで、収納部１０は、踏板９１と床ＦＬとの間に前方から挿入され、例えば、踏板９１の上方からネジなどを用いて固定される。また、２つの案内部１５ａ及び１５ｂは、それぞれ、上下方向に長尺に形成され、好ましくは、階段９を挟む２つの壁部のうち、近接する壁部に沿うように配される。図２において、間仕切り装置１ａは、開放状態、即ち、階段９への幼児やペットの侵入を防止しない不使用状態となっており、この際、後述する３つのパネル１１ａ〜１１ｃ（図４参照）が収納部１０内に収納されている。
【００１６】
図３に示すように、間仕切り装置１ａは、それぞれ板状に形成された３つのパネル１１ａ〜１１ｃ（このうちパネル１１ｃは図３に不図示）を備える。図３において、間仕切り装置１ａは、閉鎖状態、即ち、階段９への幼児やペットの侵入を防止する使用状態となっている。この際、３つのパネル１１ａ〜１１ｃのうち、２つのパネル１１ａ，１１ｂが収納部１０から引き出され、３つのパネル１１ａ〜１１ｃは、２つの案内部１５ａ，１５ｂと協働して階段９への侵入を防止するための仕切りを形成するようになっている。なお、以降の説明において、３つのパネル１１ａ〜１１ｃを互いに区別する必要がない場合はパネル１１と呼称する。
【００１７】
（間仕切り装置の構成と使用方法）
本実施形態に係る間仕切り装置の構成と使用方法について説明する。図４は、全てのパネルが収容された状態における間仕切り装置の構成を示す斜視図である。図５は、第１のパネルが途中まで引き出された状態における間仕切り装置の構成を示す斜視図である。図６は、第１のパネルが完全に引き出された状態における間仕切り装置の構成を示す斜視図である。図７は、第２のパネルが途中まで引き出された状態における間仕切り装置の構成を示す斜視図である。図８は、第２のパネルが完全に引き出された状態における間仕切り装置の構成を示す斜視図である。
【００１８】
図４〜図８に示すように、本実施形態において、収納部１０は、内部に３つのパネル１１ａ〜１１ｃを収納する収納空間が画成され、前方に開口するとともに上方の前方一部が開口した略直方体状に形成される。このうち、前方側の開口については、上方一部を除いて略板状のカバー部１４によって閉塞されており、したがって、収納部１０及びカバー部１４は、全体として、前側上方に位置する角部分に開口部が設けられた略直方体を形成する。
【００１９】
２つの案内部１５ａ，１５ｂのそれぞれは、収納部１０に対してその開口部に設けられ、開口部から引き出された２つのパネル１１ａ，１１ｂの幅方向及び前後方向への移動を規制する上下方向に長尺に形成された部材である。また、２つの案内部１５ａ，１５ｂのそれぞれは、前後方向及び上下方向と平行する板面が上下方向に延在する板状の基部１５０と、この基部１５０における前後方向両端部から収納部１０の幅方向内方側に延びる２つの規制部であって、基部１５０の前方端部から延びる前方規制部１５１及び基部１５０の後方端部から延びる後方規制部１５２とを有する。これら基部１５０、前方規制部１５１及び後方規制部１５２によって、２つの案内部１５ａ，１５ｂのそれぞれは、その横断面が、開放部分が収納部１０の幅方向内方側を向くコ字状に形成され、案内部１５ａ，１５ｂは、その開放部分が互いに対向するように、間仕切り装置１の幅方向に離間して配置される。
【００２０】
このように構成された間仕切り装置１は、開放状態において、図４に示すように、３つのパネル１１ａ〜１１ｃが収納部１０内の空間に、前方からパネル１１ａ、パネル１１ｂ、パネル１１ｃの順に前後方向に重ねられて収納されている。また、３つのパネル１１ａ〜１１ｃのそれぞれには、間仕切り装置１の使用者が手を掛けるための手掛け部１１０が形成されており、この手掛け部１１０は、３つのパネル１１ａ〜１１ｃが収納部１０内に収納された状態において、前方から見た場合に収納部１０に設けられた開口部から露出すようになっている。
【００２１】
間仕切り装置１を開放状態から閉鎖状態とする場合、使用者は、まず、手掛け部１１０に手を掛けて、図５に示すように、最前方のパネル１１ａを開口部から上方に引き出す。次に、使用者は、図６に示すように、引き出したパネル１１ａを、パネル１１ａの下端がその後方に位置するパネル１１ｂの上端以上となるまで、更に上方に移動させる。この際、パネル１１ａは案内部１５ａ，１５ｂにおける基部１５０によって幅方向の移動を規制され、前方規制部１５１及び後方規制部１５２によって前後方向の移動を規制される。
【００２２】
パネル１１ａを上方に移動させた後、使用者は、図７に示すように、収納部１０に収納されたパネル１１ｂの手掛け部１１０に手を掛けて、パネル１１ａと同様に開口部から引き出す。次に、使用者は、図８に示すように、引き出したパネル１１ｂを、パネル１１ｂの下端がその後方に位置するパネル１１ｃの上端以上となるまで、更に上方に移動させる。この際、パネル１１ｂもパネル１１ａと同様に案内部１５ａ，１５ｂにより幅方向及び上下方向の移動を規制されており、したがって、パネル１１ａがパネル１１ｂの上端に載置される。また、後述する収納部１０内部の構成によってパネル１１ｂの下方にパネル１１ｃが位置するようになっており、これによって、パネル１１ｂがパネル１１ｃの上端に載置され、パネル１１ａ及び１１ｂにより仕切りを形成し、間仕切り装置１は、閉鎖状態となる。
【００２３】
（収納部の内部及びパネルの構成）
次に、収納部の内部及びパネルの具体的な構成について説明する。図９は、複数のパネルが収納された収納部内の構成を示す側断面図である。図１０は、パネルの構成を示す側面図である。
【００２４】
図９に示すように、収納部１０は、その内部に３つのパネル１１ａ〜１１ｃを前方に押し出す押出部を備え、この押出部は、上下方向及び幅方向に平行する平面を有する板状の押出板１０２と、この押出板１０２を前方に付勢して押し出す弾性力を有する複数の弾性部材１０１とを有する。この複数の弾性部材１０１は、上下方向に２列に設けられ、少なくとも１列に２つ含まれるように配置される。これら複数の弾性部材１０１のうち、上方列に属するものを弾性部材１０１ａ、下方列に属するものを弾性部材１０１ｂとする。なお、本実施例では、弾性部材１０１ａ，１０１ｂは、いずれも、収納部１０の背面と押出板１０２とを前後方向に押圧する圧縮コイルばねとするが、前後方向に押圧可能な構造であれば板バネなど圧縮コイルばね以外であっても良い。
【００２５】
カバー部１４は、上述したパネル１１ａ，１１ｂを引き出すための開口部を形成するため、その高さが収納部１０よりも低く形成されており、また、その上端位置は、３つのパネル１１ａ〜１１ｃが収納部１０に収納された状態において、これらに形成される手掛け部１１０より低くなっている。このようなカバー部１４によれば、押出部により前方に押し出された３つのパネル１１ａ〜１１ｃが外部から完全に露出しないようにすることができ、また、押出部により前方に押し出された３つのパネル１１ａ〜１１ｃの前方への移動を規制しつつ、パネル１１ａ，１１ｂを収納部１０から引き出すことが容易となる。
【００２６】
また、収納部１０とともに収納空間を画成するカバー部１４の後方面において、その上端から上下方向における範囲Ｓ１に亘って第１傾斜部１４１が形成され、その他の部分を占める範囲Ｓ２に亘って第２傾斜部１４２が形成される。第１傾斜部１４１は、その傾斜面が上方ほど前方に位置するように傾斜され、また、第２傾斜部１４２は、その傾斜面が下方ほど前方に位置するように傾斜される。また、第１傾斜部１４１及び第２傾斜部１４２は、第１傾斜部１４１が第２傾斜部１４２より大きくなるように、即ち、範囲Ｓ１が範囲Ｓ２より大きくなるように形成される。なお、弾性部材１０１ｂは、範囲Ｓ２に収まる位置に設けられる。このような構成によれば、パネル１１ａ，１１ｂの収納部１０への収納がより容易となるが、この点については後に詳述する。
【００２７】
案内部１５ｂは、前方規制部１５１の下端が後方規制部１５２の下端より下方に位置するように形成され、前方規制部１５１は収納部１０における開口部とその上下方向略全域に亘って前後方向に重複するように形成される。また、後方規制部１５２は、その下端が収納部１０に収納された状態におけるパネル１１の上端より上方に位置するように形成される。案内部１５ａについても案内部１５ｂと同様である。これにより、収納部１０から引き出されるパネル１１ａ，１１ｂが案内部１５ａ，１５ｂにスムーズに案内される。
【００２８】
パネル１１は、前後方向に所定の厚みを有する板状に形成された部材であり、図１０に示すように、その下端から所定の高さ位置まで傾斜部１１１が形成され、また、この傾斜部１１１と底面とが成す後方の角には丸みが施されたアール部１１２が形成されている。ここで、傾斜部１１１は、その傾斜面が下方ほど前方に位置するように傾斜される。
【００２９】
（間仕切り装置の動作）
次に、本実施形態に係る間仕切り装置の動作について説明する。図１１は、全てのパネルが収容された状態における間仕切り装置の構成を示す側断面図である。図１２は、第１のパネルが途中まで引き出された状態における間仕切り装置の構成を示す側断面図である。図１３は、第１のパネルが完全に引き出された状態における間仕切り装置の構成を示す側断面図である。図１４は、第２のパネルが途中まで引き出された状態における間仕切り装置の構成を示す側断面図である。図１５は、第２のパネルが完全に引き出された状態における間仕切り装置の構成を示す側断面図である。図１６は、第２のパネルが途中まで収容された状態における間仕切り装置の構成を示す側断面図である。図１７は、第１のパネルが途中まで収容された状態における間仕切り装置の構成を示す側断面図である。
【００３０】
図１１に示す開放状態から、図１２に示すように最前方のパネル１１ａが引き出され、パネル１１ａの下端がパネル１１ｂの上方より高い状態となると、図１３に示すように、収納部１０内のパネル１１ｂ，１１ｃが押出部によって前方に移動され、パネル１１ｂがパネル１１ａの下方に位置するようになる。ここで、パネル１１ａは、特に操作されない限り、パネル１１ｂ上に載置される状態となる。
【００３１】
次に、図１４に示すように、パネル１１ｂが引き出されて上方に移動されると、パネル１１ｂ上に載置されたパネル１１ａもまた、更に上方に移動される。図１５に示すように、パネル１１ｂの下端がパネル１１ｃの上方より高い状態となると、収納部１０内のパネル１１ｃが押出部によって前方に移動され、パネル１１ａがパネル１１ｂ上に載置され、更にパネル１１ｂがパネル１１ｃ上に載置される。これによって、３つのパネル１１ａ〜１１ｃが仕切りを形成して間仕切り装置１は閉鎖状態となる。
【００３２】
閉鎖状態から解放状態とする場合、図１６に示すように、収納部１０内にあるパネル１１ｃの上方、具体的には、収納部１０の開口部から露出している部分が後方に押圧されることによって、パネル１１ｃとカバー部１４との間において前後方向に間隙が生じる。この間隙にパネル１１ｂが挿入されることによって、弾性部材１０１ａ，１０１ｂの押圧力に抗してパネル１１ｃが後方へ移動する。ここで、パネル１１ｃは、カバー部１４に形成された第２傾斜部１４２によるパネル１１ｃの上方部分への押圧によって、上方端部が容易に後方に傾斜するようになっている。また、カバー部１４に形成された第１傾斜部１４１によって、パネル１１ｃとカバー部１４との間に生じる間隙が大きくなり、更に、パネル１１ｂに形成された傾斜部１１１によってパネル１１ｂの下方における前後方向の幅が小さくなり、間隙へのパネル１１ｂの挿入が容易となる。また、パネル１１ｂの下端後方に形成されたアール部１１２によって、間隙へのパネル１１ｂの挿入が更に容易となる。
【００３３】
パネル１１ｃとカバー部１４との間隙に挿入されたパネル１１ｂが更に下方に移動されて収納部１０に収納された後、図１７に示すように、パネル１１ｂと同様にパネル１１ａがパネル１１ｂとカバー部１４との間隙に挿入され、下方に移動されて収納部１０に収納され、間仕切り装置１が図１１に示したような開放状態となる。
【００３４】
このように、開放状態と閉鎖状態とに切り換え可能であって、開放状態において間仕切りを形成する複数のパネル１１を収納部１０に収納するように構成された間仕切り装置１によれば、開放状態において露出する部材をより少なくすることができ、延いては、不使用時の意匠性をより向上させることができる。
【００３５】
＜第２の実施形態＞
次に、第２の実施形態に係る間仕切り装置について説明する。本実施形態に係る間仕切り装置は、主にカバー部を設けない点、及びこれに関連する構成のみが第１の実施形態とは異なるため、第１の実施形態との相違点のみを説明し、同様の構成については説明を省略する。図１８は、第２の実施形態に係る、全てのパネルが収容された状態における間仕切り装置の構成を示す側断面図である。図１９は、第２の実施形態に係る、第２のパネルが完全に引き出された状態における間仕切り装置の構成を示す側断面図である。
【００３６】
図１８及び図１９に示すように、本実施形態に係る間仕切り装置２は、前方にカバー部１４が設けられる収納部１０に代えて、カバー部１４が形成されない収納部１０ａを備える。この収納部１０ａの前方は、カバー部１４によって覆われないため、略全面に亘って開口している。そのため、間仕切り装置２は、案内部１５ａ，１５ｂに代えて、案内部１６ａ，１６ｂを備える。これら案内部１６ａ，１６ｂは、案内部１５ａ，１５ｂの基部１５０、前方規制部１５１及び後方規制部１５２のそれぞれに相当する基部１６０、前方規制部１６０及び後方規制部１６２を備える。ここで、前方規制部１６１は、前方規制部１５１と同様に、収納部１０における開口部とその上下方向略全域に亘って前後方向に重複するように形成されるが、上述したように収納部１０ａの開口部が略全面に亘って開口しているため、この開口部に合わせて、その下端位置が前方規制部１５１よりも下方に位置するようになっている。
【００３７】
このように、カバー部１４を省略した間仕切り装置２によれば、より低コストで製造することができるとともに、収納部１０ａの開口部を大きく形成することができるため、間仕切り装置１と比較して、閉鎖状態から解放状態とする際に、パネル１１を前方から後方に押圧することが容易となる。
【００３８】
＜第３の実施形態＞
次に、第３の実施形態に係る間仕切り装置について説明する。本実施形態に係る間仕切り装置は、収納部に操作部が設けられている点、及びこれに関連する構成のみが第１の実施形態とは異なるため、第１の実施形態との相違点のみを説明する。図２０は、第３の実施形態に係る、第２のパネルが完全に引き出された状態における間仕切り装置の構成を示す側断面図である。図２１は、第３の実施形態に係る、操作部が押下された状態における間仕切り装置の構成を示す側断面図である。
【００３９】
図２０及び図２１に示すように、本実施形態に係る間仕切り装置３は、カバー部１４に代えて、操作部１４３を有するカバー部１４ａが前方に設けられた収納部１０ｂを備える。操作部１４３は、収納部１０ｂの幅方向における略中央位置に設けられるとともに、収納部１０ｂの高さ方向において中央位置よりも上方に設けられ、後方に押下可能となった部材であり、押下された際に収納部１０ｂ内に収納されたパネル１１を後方に押圧するように形成される。
【００４０】
間仕切り装置３が、図２０に示すように閉鎖状態にある場合、図２１に示すように、操作部１４３が押下されることによって、パネル１１ｃの上端側が後方へ傾き、これによって、カバー部１４ａとパネル１１ｃとの間隙が生じ、この間隙に対して、直上に位置するパネル１１ｂが挿入可能となり、パネル１１ｂの収納部１０ｂへの収納が容易となる。また、パネル１１ｂが収納部１０ｂに収納された後、再度、操作部１４３が押下されることによって、パネル１１ｂと同様にパネル１１ａの収納部１０ｂへの収納が容易となる。
【００４１】
このように、操作部１４３を有するカバー部１４ａを設けた間仕切り装置３によれば、収納部１０ｂに収納されるパネル１１の外部への露出を低減しつつ、間仕切り装置１と比較して、パネル１１ａ，１１ｂの収納部１０ｂへの収納をより容易にすることができる。
【００４２】
＜第４の実施形態＞
次に、第４の実施形態に係る間仕切り装置について説明する。本実施形態に係る間仕切り装置は、パネルの構成のみが第１の実施形態とは異なるため、パネルの構成のみについて説明する。図２２は、第４の実施形態に係る、全てのパネルが収容された状態における間仕切り装置の構成を示す側断面図である。図２３は、第４の実施形態に係る、第２のパネルが完全に引き出された状態における間仕切り装置の構成を示す側断面図である。図２４は、第４の実施形態に係る第１のパネルの構成を示す側面図である。図２５は、第４の実施形態に係る第２のパネルの構成を示す側面図である。図２６は、ロック機構を備えた連結部の構成を示す側面図である。
【００４３】
図２２及び図２３に示すように、本実施形態に係る間仕切り装置４における３つのパネル１２ａ〜１２ｃは、第１の実施形態におけるパネル１１ａ〜１１ｃに相当し、第１連結部１２１、または第１連結部１２１及び第２連結部１２２を有する。第１連結部１２１は、パネル１２ａ〜１２ｃの下方において第２連結部１２２と連結可能に幅方向全域に亘って形成され、第２連結部１２２は、パネル１２ｂ，１２ｃの上方において第１連結部１２１と連結可能に幅方向全域に亘って形成される。本実施形態においては、収納部１０内において最前方に収納されるパネル１２ａ、パネル１２ａの後方に収納されるパネル１２ｂ及びパネル１２ｂの後方に収納されるパネル１２ｃの下端部に第１連結部１２１が形成され、パネル１２ｂ，１２ｃの上端部に第２連結部１２２が形成される。なお、パネル１２ａの上方には、第１の実施形態におけるパネル１１ａと同様に手掛け部１２０が形成される。
【００４４】
図２２に示すような開放状態から図２３に示すような閉鎖状態への移行において、パネル１２ａを収納部１０から引き出して上方に移動させることによって、パネル１２ａの第１連結部１２１とパネル１２ｂの第２連結部１２２とが連結してパネル１２ｂが収納部から引き出され、これによって、パネル１２ｂの第１連結部１２１とパネル１２ｃの第２連結部１２２とが連結し、パネル１２ｂがパネル１２ｃに支持されるとともにパネル１２ａがパネル１２ｂに支持されて仕切りが形成される。また、後述する第１連結部１２１及び第２連結部１２２の構成によって、これらの連結を解除して間仕切り装置４を閉鎖状態から開放状態に移行することも容易となる。
【００４５】
ここで、第１連結部１２１及び第２連結部１２２について、パネル１２ａ及びパネル１２ｂを例にとり説明する。なお、パネル１２ｂとパネル１２ｃは同様の構成である。図２４及び図２５に示すように、第１連結部１２１は、第１嵌合部１２１ａ及び第１被嵌合部１２１ｂを有し、これら第１嵌合部１２１ａ及び第１被嵌合部１２１ｂは、下端部から上下方向における所定位置まで、下方が前方に所定角度θだけ傾斜する傾斜面Ｓ１において形成される。また、第２連結部１２２は、第２嵌合部１２２ａ及び第２被嵌合部１２２ｂを有し、これら第２嵌合部１２２ａ及び第２被嵌合部１２２ｂは、上端部から上下方向における所定位置まで、上方が後方に角度θだけ傾斜する傾斜面Ｓ２において形成される。
【００４６】
第１嵌合部１２１ａと第１被嵌合部１２１ｂは、第１嵌合部１２１ａが第１被嵌合部１２１ｂの下方に位置するように上下方向に互いに隣接して形成されており、第２嵌合部１２２ａと第２被嵌合部１２２ｂは、第２嵌合部１２２ａが第２被嵌合部１２２ｂの上方に位置するように上下方向に互いに隣接して形成される。
【００４７】
第１被嵌合部１２１ｂは、第２嵌合部１２２ａが後方から嵌合可能に第２嵌合部１２２ａと形状合致する凹部として形成されており、この凹部は、第２嵌合部１２２ａが第１被嵌合部１２１ｂに嵌合した際、第１被嵌合部１２１ｂが第２嵌合部１２２ａを下方に係止するように形成される。第２被嵌合部１２２ｂは、第１嵌合部１２１ａが前方から嵌合可能に第１嵌合部１２１ａと形状合致する凹部として形成されており、この凹部は、第１嵌合部１２１ａが第２被嵌合部１２２ｂに嵌合した際、第２被嵌合部１２２ｂが第１嵌合部１２１ａを上方に係止するように形成される。
【００４８】
第２嵌合部１２２ａの上端部には、略水平面である載置面１２２ａ１がパネル１２の上端面として形成されており、これに対応して、第１被嵌合部１２１ｂには、載置面１２２ａ１に載置可能な水平面である被載置面１２１ｂ１が形成されている。また、第１嵌合部１２１ａの下端部には、略水平面である被載置面１２１ａ１がパネル１２の下端面として形成されており、これに対応して、第２被嵌合部１２２ｂには、被載置面１２１ａ１が載置可能な略水平面である載置面１２２ｂ１が形成されている。
【００４９】
このような第１連結部１２１、第２連結部１２２が形成されたパネル１２ａ〜１２ｃを備える間仕切り装置４によれば、押出部によってパネル１２ａ〜１２ｃが前方に押し出されているため、前方にあるパネル１２が引き出された際に、このパネル１２の第１連結部１２１と後方にあるパネル１２のパネル１２２とが連結するため、間仕切り装置４の使用者は最前方にあるパネル１２、即ちパネル１２ａのみを上方に引き出すことで、パネル１２ｂを引き出し、間仕切り装置４を閉鎖状態とすることができる。この閉鎖状態において、上述した被載置面１２１ａ１、載置面１２２ｂ１、載置面１２２ａ１及び被載置面１２１ｂ１によって、パネル１２ａはパネル１２ｂ上に載置され、パネル１２ｂはパネル１２ｃ上に載置され、仕切りが形成される。また、第１連結部１２１と第２連結部１２２とが、前後方向に嵌合可能となっているため、下方のパネル１２を前方から後方に押すことによって、第１連結部１２１と第２連結部１２２との連結を解除することができる。また、傾斜面Ｓ２によって下方のパネル１２とカバー部１４との間隙が生じ、傾斜面Ｓ１によってこの間隙に対する上方のパネル１２の挿入が容易となる。
【００５０】
なお、パネル１２ａ〜１２ｃの連結の解除をより容易とするため、第１連結部１２１、第２連結部１２２を、それぞれ、図２６に示すように、第１連結部１２１’、第２連結部１２２’としても良い。ここで、第１連結部１２１’は、被載置面１２１ｂ１を弾性部材により下方に押圧するように構成された解除部１２３ｃを更に有する。また、第２連結部１２２’は、第２被嵌合部１２２ｂに代えて、第１連結部１２１’と第２連結部１２２’とが連結した際に第１連結部１２１’における傾斜面Ｓ１と形状合致するとともに、パネル１２の前面に達する傾斜面が形成された傾斜部１２２ｃを有する。
【００５１】
上述の３つのパネル１２ａ〜１２ｃにおける第１連結部１２１、第２連結部１２２を第１連結部１２１’、第２連結部１２２’に置き換えることによって、上方にあるパネル１２に対して下方に力を加え、この力が解除部１２３ｃによる被載置面１２１ｂ１の押圧力を超えた場合、第１被嵌合部１２１ｂへの第２嵌合部１２２ａの嵌合が解除される。更に、第１嵌合部１２１ａが傾斜部１２２ｃをスライドすることで、上方にあるパネル１２に加えられる下方への力が下方にあるパネル１２を後方へ押圧する力に変換され、上方にあるパネル１２を収納部１０に容易に収納することができる。
【００５２】
＜第５の実施形態＞
次に、第５の実施形態に係る間仕切り装置について説明する。本実施形態に係る間仕切り装置は、閉鎖状態におけるパネルの係止に関する構成のみが第２の実施形態と異なるため、第２の実施形態とは異なる構成のみについて説明する。図２７は、第５の実施形態に係る間仕切り装置の構成を示す正面図である。図２８は、第５の実施形態に係る間仕切り装置の構成を示す側断面図である。
【００５３】
図２７及び図２８に示すように、本実施形態に係る間仕切り装置５は、パネル１１ａ〜１１ｃに代えてパネル１３ａ〜１３ｃを備える点、また、案内部１６ａ，１６ｂに代えて、案内部１７ａ，１７ｂを備える点が、第２の実施形態に係る間仕切り装置２とは異なる。
【００５４】
パネル１３ａ〜１３ｃは、それぞれ、パネル１１ａ〜１１ｃと同様に板状に形成された部材であり、間仕切り装置５の使用者が手を掛けるための手掛け部１３０と、パネル１３の前面において間仕切り装置５の幅方向両端部に形成された凹部である２つの被係止部１３２ａ，１３２ｂとを有する。また、案内部１７ａ及び１７ｂは、案内部１６ａ，１６ｂの基部１６０、前方規制部１６１及び後方規制部１６２のそれぞれに相当する基部１７０、前方規制部１７１及び後方規制部１７２を備える。ここで、基部１７０は基部１６０と同様に形成される。また、前方規制部１７１は、上下方向に異なる３箇所において、凸部として形成された３つの係止部１７１ａ〜１７１ｃを有する点で前方規制部１６１とは異なる。また、後方規制部１７２は、後方規制部１７２の幅以下に形成された長尺の部材である保持部１７９と、この保持部１７９を前方に押し出す弾性力を有する弾性部材であって、上方に設けられた弾性部材１７７及び下方に設けられた弾性部材１７８とを有する。
【００５５】
３つの係止部１７１ａ〜１７１ｃは、それぞれ、パネル１３ａ〜１３ｃの被係止部１３２ａ，１３２ｂに係合して、パネル１３ａ〜１３ｃの上下方向への移動、特に下方への移動を係止する。また、パネル１３ａ，１３ｂの係止は、弾性部材１７７，１７８及び保持部１７９によりパネル１３ａ，１３ｂが押圧されることによって、前方からパネル１３ａ，１３ｂに力を加えない限り保持される。
【００５６】
＜第６の実施形態＞
次に、第６の実施形態に係る間仕切り装置について説明する。本実施形態に係る間仕切り装置は、その設置場所のみが第１の実施形態とは異なるため、第１の実施形態との相違点についてのみ説明する。図２９は、第６の実施形態に係る、開放状態における間仕切り装置の構成を示す斜視図である。図３０は、第６の実施形態に係る、閉鎖状態における間仕切り装置の構成を示す斜視図である。
【００５７】
図２９及び図３０に示すように、本実施形態に係る間仕切り装置６が取り付けられる階段９’は、踏板９１と床ＦＬとの間の間隙を閉鎖する蹴込板９２が設けられている点が、第１の実施形態に係る階段９とは異なる。また、これに対応して、間仕切り装置６は、収納部１０に代えて、階段９への固定位置が異なる収納部１０’を備える点が、第１の実施形態に係る間仕切り装置１とは異なる。本実施形態においては、間仕切り装置６を階段９に対して取り付ける際に、踏板９１と床ＦＬとの間ではなく、蹴込板９２に収納部１０’の背面を密着させて固定する。これによって、踏板９１と床ＦＬとの間に蹴込板９２が設けられている階段９’に対しても、間仕切り装置６を取り付けることができる。
【００５８】
本発明の実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５９】
１  間仕切り装置
１０  収納部
１１  パネル
１５  案内部
【図１】
2019076428.tif 000003
【図２】
2019076428.tif 000004
【図３】
2019076428.tif 000005
【図４】
2019076428.tif 000006
【図５】
2019076428.tif 000007
【図６】
2019076428.tif 000008
【図７】
2019076428.tif 000009
【図８】
2019076428.tif 000010
【図９】
2019076428.tif 000011
【図１０】
2019076428.tif 000012
【図１１】
2019076428.tif 000013
【図１２】
2019076428.tif 000014
【図１３】
2019076428.tif 000015
【図１４】
2019076428.tif 000016
【図１５】
2019076428.tif 000017
【図１６】
2019076428.tif 000018
【図１７】
2019076428.tif 000019
【図１８】
2019076428.tif 000020
【図１９】
2019076428.tif 000021
【図２０】
2019076428.tif 000022
【図２１】
2019076428.tif 000023
【図２２】
2019076428.tif 000024
【図２３】
2019076428.tif 000025
【図２４】
2019076428.tif 000026
【図２５】
2019076428.tif 000027
【図２６】
2019076428.tif 000028
【図２７】
2019076428.tif 000029
【図２８】
2019076428.tif 000030
【図２９】
2019076428.tif 000031
【図３０】
2019076428.tif 000032